(57)【要約】【課題】低ダイナミック・レンジ又は標準的なダイナミック・レンジに圧縮された画像を元の高ダイナミック・レンジの画像に変換する。【解決手段】Ｋｎｅｅ伸長処理部１００１は、輝度信号Ｙを入力して、Ｋｎｅｅ伸長を行なって、輝度信号Ｙ＋ΔＹを出力する。また、Ｙ／Ｃ一定処理部１００２は、輝度信号ＹをＹ＋ΔＹにＫｎｅｅ伸長した後に、入力輝度信号Ｙ並びにクロマ信号Ｃｂ、Ｃｒを入力するとともにＫｎｅｅ伸長処理部１００１からΔＹを入力して、輝度信号Ｙとクロマ信号Ｃの比が一定となるように入力クロマ信号Ｃｂ、Ｃｒを補正する。【選択図】  図１０
2015170905.tif 000002
【特許請求の範囲】
【請求項１】
輝度信号を伸長する輝度信号伸長部と、
輝度信号の伸長に合わせてクロマ信号を補正するクロマ信号補正部と、
を具備する画像処理装置。
【請求項２】
前記クロマ信号補正部は、前記輝度信号伸長部で輝度信号を伸長する前後で輝度信号とクロマ信号の比が一定となるようにクロマ信号を補正する、
請求項１に記載の画像処理装置。
【請求項３】
前記クロマ信号補正部が補正した後のクロマ信号を伸長するクロマ信号伸長部をさらに備える、
請求項２に記載の画像処理装置。
【請求項４】
前記クロマ信号伸長部は、表示色域からはみ出さない範囲でクロマ信号を伸長する、
請求項３に記載の画像処理装置。
【請求項５】
輝度信号を伸長する輝度信号伸長ステップと、
輝度信号の伸長に合わせてクロマ信号を補正するクロマ信号補正ステップと、
を有する画像処理方法。
【請求項６】
輝度信号を伸長する輝度信号伸長部と、
輝度信号の伸長に合わせてクロマ信号を補正するクロマ信号補正部と、
輝度信号及びクロマ信号をＲＧＢ信号に変換して表示する表示部と、
を具備する画像表示装置。
【発明の詳細な説明】
【技術分野】
【０００１】
本明細書で開示する技術は、高ダイナミック・レンジの画像を処理する画像処理装置及び画像処理方法、並びに画像表示装置に関する。
【背景技術】
【０００２】
最近、撮像素子（イメージ・センサー）の高ビット化などにより、画像の高ダイナミック・レンジ（ＨＤＲ：Ｈｉｇｈ  Ｄｙｎａｍｉｃ  Ｒａｎｇｅ）化が進んでいる。ＨＤＲ画像は、最大明度色と最低明度色の間のコントラスト比が例えば１００００：１以上に達し、現実世界をリアルに表現することができる。ＨＤＲ画像は、陰影をリアルに表現できる、露出をシミュレーションできる、眩しさを表現できるなどの利点がある。ちなみに、ＳＤＲ画像は、一般に、コントラスト比が例えば１０００：１、２５６：１、又はそれら以下であり、ダイナミック・レンジが小さく、レッド、グリーン、ブルー又はシアン、マゼンタ、イエローというデバイス原色の２５６階調で表現されることが多い。
【０００３】
例えば、露光量の異なる複数の撮像画像からＨＤＲ画像を合成する撮像装置について提案がなされている（例えば、特許文献１を参照のこと）。
【０００４】
テレビ番組などの画像制作に用いるカメラは、通常、ＨＤＲ画像を撮影する能力を持つ。一方、テレビ番組を視聴する各家庭内のテレビ受像機の多くは、ＨＤＲ画像に対応していない。このため、画像制作に用いるカメラは、ＨＤＲ画像を撮影することができても、家庭内のテレビ受像機でそのまま表示できること、すなわち下方互換性を考慮して、ダイナミック・レンジを圧縮した画像に変換して編集した後に放送信号を伝送するのが実情である。放送局で画像の編集に用いられるマスター・モニターは、白輝度が１００［ｎｉｔ］程度であり、撮影された高輝度情報が圧縮され、階調が損なわれ、臨場感が失われてしまう。
【０００５】
ちなみに、一般的な家庭用テレビでは、例えば４０分の１程度に減らされたダイナミック・レンジが標準的すなわちＳＤＲ（Ｓｔａｎｄａｒｄ  Ｄｙｎａｍｉｃ  Ｒａｎｇｅ）である。ＳＤＲ画像は、コントラスト比が例えば１０００：１、２５６：１、又はそれら以下であり、ダイナミック・レンジが小さく、レッド、グリーン、ブルー又はシアン、マゼンタ、イエローというデバイス原色の２５６階調で表現されることが多い。
【０００６】
また、Ｋｎｅｅ圧縮を用いて、ＨＤＲ画像をＳＤＲ画像に変換することができる。Ｋｎｅｅ圧縮は、画像の輝度を所定のダイナミック・レンジ（ここでは、ＳＤＲのダイナミック・レンジ）に収めるように高輝度部分の信号を抑制する処理である。例えば、撮像素子から出力される画像信号をＫｎｅｅ圧縮してダイナミック・レンジを所定の輝度レベルに収める撮像装置について提案かなされている（例えば、特許文献２を参照のこと）。
【０００７】
最近では、最大輝度が５００ｎｉｔや１０００ｎｉｔであるＨＤＲ対応のディスプレイが市販され始めている。ところが、上記のように、元はＨＤＲ画像であるにも拘らず、ＳＤＲ画像として放送されるため、ＨＤＲ対応テレビでＳＤＲ画像を視聴するという無駄が生じてしまう。
【先行技術文献】
【特許文献】
【０００８】
【特許文献１】特開２０１３−２５５３０１号公報
【特許文献２】特開２００７−２０８３８２号公報
【発明の概要】
【発明が解決しようとする課題】
【０００９】
本明細書で開示する技術の目的は、低ダイナミック・レンジ又は標準的なダイナミック・レンジに圧縮された画像を元の高ダイナミック・レンジの画像に変換することができる、優れた画像処理装置及び画像処理方法、並びに画像表示装置を提供することにある。
【課題を解決するための手段】
【００１０】
本願は、上記課題を参酌してなされたものであり、請求項１に記載の技術は、
輝度信号を伸長する輝度信号伸長部と、
輝度信号の伸長に合わせてクロマ信号を補正するクロマ信号補正部と、
を具備する画像処理装置である。
【００１１】
本願の請求項２に記載の技術によれば、請求項１に記載の画像処理装置の前記クロマ信号補正部は、前記輝度信号伸長部で輝度信号を伸長する前後で輝度信号とクロマ信号の比が一定となるようにクロマ信号を補正するように構成されている。
【００１２】
本願の請求項３に記載の技術によれば、請求項２に記載の画像処理装置は、前記クロマ信号補正部が補正した後のクロマ信号を伸長するクロマ信号伸長部をさらに備えている。
【００１３】
本願の請求項４に記載の技術によれば、請求項３に記載の画像処理装置の前記クロマ信号伸長部は、表示色域からはみ出さない範囲でクロマ信号を伸長するように構成されている。
【００１４】
また、本願の請求項５に記載の技術は、
輝度信号を伸長する輝度信号伸長ステップと、
輝度信号の伸長に合わせてクロマ信号を補正するクロマ信号補正ステップと、
を有する画像処理方法である。
【００１５】
また、本願の請求項６に記載の技術は、
輝度信号を伸長する輝度信号伸長部と、
輝度信号の伸長に合わせてクロマ信号を補正するクロマ信号補正部と、
輝度信号及びクロマ信号をＲＧＢ信号に変換して表示する表示部と、
を具備する画像表示装置である。
【発明の効果】
【００１６】
本明細書で開示する技術によれば、低ダイナミック・レンジ又は標準的なダイナミック・レンジに圧縮された画像を元の高ダイナミック・レンジの画像に変換することができる、優れた画像処理装置及び画像処理方法、並びに画像表示装置を提供することができる。
【００１７】
なお、本明細書に記載された効果は、あくまでも例示であり、本発明の効果はこれに限定されるものではない。また、本発明が、上記の効果以外に、さらに付加的な効果を奏する場合もある。
【００１８】
本明細書で開示する技術のさらに他の目的、特徴や利点は、後述する実施形態や添付する図面に基づくより詳細な説明によって明らかになるであろう。
【図面の簡単な説明】
【００１９】
【図１】図１は、本明細書で開示する技術を適用することができる画像表示装置１００の構成例を模式的に示した図である。
【図２】図２は、表示部１０５が液晶表示方式の場合の構成例を模式的に示した図である。
【図３】図３は、オリジナル信号を例示した図である。
【図４】図４は、図３に示したオリジナル信号をＲ成分についてのみＫｎｅｅ伸長した結果を示した図である。
【図５】図５は、図３に示したオリジナル信号をＲＧＢの成分毎にＫｎｅｅ伸長した結果を示した図である。
【図６】図６は、輝度信号ＹをＫｎｅｅ伸長するＫｎｅｅ伸長曲線６００を例示した図である。
【図７】図７は、Ｙ−Ｃｏｎｔｒａｓｔブロックで輝度信号ＹをＫｎｅｅ伸長処理する機能構成を模式的に示した図である
【図８】図８は、入力画像信号８０１とＹ−Ｃｏｎｔｒａｓｔブロック出Ｋｎｅｅ伸長した出力画像信号８０２を示した図である。
【図９】図９は、輝度信号ＹをＹ−ＣｏｎｔｒａｓｔブロックでＫｎｅｅ伸長した後、Ｙ／Ｃが一定となるようにクロマ信号Ｃについて補正した結果９０３を示した図である。
【図１０】図１０は、Ｙ−Ｃｏｎｔｒａｓｔブロックで輝度信号ＹをＫｎｅｅ伸長するとともに、Ｙ／Ｃが一定となるようにクロマ信号を補正する機能的構成を模式的に示した図である。
【図１１】図１１は、表示色域１２０１から外れた色分布１２０２を、色合いを重視して輝度方向に圧縮するＹ圧縮１２０３、輝度を重視して彩度方向に圧縮するＣ圧縮１２０４、輝度と彩度をブレンドして圧縮するＹＣ圧縮１２０５する様子をそれぞれ示した図である。
【図１２】図１２は、第２の実施例に従い、輝度信号を伸長する前後で輝度信号とクロマ信号の比が一定となるようにクロマ信号を補正した結果、表示色域内で未使用領域が生じる様子を示した図である。
【図１３】図１３は、入力画像信号１４０１をＹ−ＣｏｎｔｒａｓｔブロックでＫｎｅｅ伸長するとともにＹ／Ｃが一定となるようにクロマ信号Ｃを補正した結果１４０２に対して、さらに、表示色域１４０３からはみ出さない範囲でクロマ信号を伸長処理した結果１４０４を示した図である。
【図１４】図１４は、Ｙ−Ｃｏｎｔｒａｓｔブロックで輝度信号ＹをＫｎｅｅ伸長し、Ｙ／Ｃが一定となるようにクロマ信号を補正した後、さらにクロマ信号を伸長する機能的構成を模式的に示した図である。
【発明を実施するための形態】
【００２０】
以下、図面を参照しながら本明細書で開示する技術の実施形態について詳細に説明する。
【００２１】
図１には、本明細書で開示する技術を適用することができる画像表示装置１００の構成例を模式的に示している。
【００２２】
アンテナ１０１には、地上波ディジタル放送や衛星ディジタル放送などの伝送電波が入力される。チューナー１０２は、アンテナ１０１から供給され信号のうち所望の電波を選択的に増幅し、周波数変換する。ディジタル復調部１０３は、周波数変換された受信信号を検波するとともに、送信時（放送局側）のディジタル変調方式に対応した方式で復調し、さらに伝送誤りの訂正も行なう。ディジタル復号部１０４は、ディジタル復調信号を復号して、Ｙ、Ｃｂ、Ｃｒの画像信号を表示部１０５に出力する。
【００２３】
図２には、表示部１０５が液晶表示方式の場合の構成例を模式的に示している。
【００２４】
ビデオ・デコーダー２０２は、入力端子２０１を介してディジタル復号部１０４から入力される画像信号に対して、クロマ処理などの信号処理を行ない、液晶表示パネル２０７の駆動に適した解像度のＲＧＢ画像信号に変換し、水平同期信号Ｈ及び垂直同期信号Ｖとともに制御信号生成部２０３に出力する。
【００２５】
制御信号生成部２０３は、ビデオ・デコーダー２０２から供給されるＲＧＢデータに基づいて画像信号データを生成し、水平同期信号Ｈ及び垂直同期信号Ｖとともにビデオ・エンコーダー２０４に供給する。また、制御信号生成部２０４は、バックライト２０８の発光ダイオード・ユニットを画像信号の明るさに応じて個別に制御する光量制御信号を生成して、バックライト駆動制御部２０９に供給する。
【００２６】
ビデオ・エンコーダー２０４は、水平同期信号Ｈ及び垂直同期信号Ｖに同期して、データ・ドライバー２０５及びゲート・ドライバー２０６を動作させるための各制御信号を供給する。
【００２７】
データ・ドライバー２０５は、画像信号に基づく駆動電圧を出力する駆動回路であり、ビデオ・エンコーダー２０４から伝送されたタイミング信号並びに画像信号に基づいてデータ線へ印加する信号を生成して出力する。また、ゲート・ドライバー２０６は、順次駆動するための信号を生成する駆動回路であり、ビデオ・エンコーダー２０４から伝送されたタイミング信号に応じて、液晶表示パネル２０７内の各画素に接続されたゲート・バス・ラインへ、駆動電圧を出力する。
【００２８】
液晶表示パネル２０７は、例えば格子状に配列された複数の画素を有する。ガラスなどの透明板の間に所定の配向状態を有する液晶分子が封入されており、外部からの信号の印加に応じて画像を表示する。上述したように、液晶表示パネル２０７への信号の印加はデータ・ドライバー２０５及びデータ・ドライバー２０６によって実行される。
【００２９】
バックライト２０８は、液晶表示パネル２０７の後方に配設された光源であり、液晶表示パネル２０７の表示内容を前方に発光する。本実施形態では、バックライト２０８は、液晶表示パネル２０７の直下に配置され、複数の発光ダイオード・ユニット（図示しない）で構成される。
【００３０】
バックライト駆動制御部２０９は、制御信号生成部２０４から供給される光量制御信号に応じて、バックライト２０８の発光ダイオード・ユニット毎に明るさを個別に制御する。バックライト駆動制御部２０９は、電源２１０からの電力を供給する量に応じて各発光ダイオード・ユニットの光量を制御することができる。
【００３１】
本実施形態では、図１、図２に示した画像表示装置１００は、ＨＤＲ画像を表示する能力を有することを想定している。
【００３２】
一方、アンテナ１０１で受信する放送信号は、家庭内のテレビ受像機の多くがＳＤＲ対応であることを考慮して、ダイナミック・レンジをＫｎｅｅ圧縮したＳＤＲ画像である。ＳＤＲ画像のテレビ番組を画像表示装置１００でＨＤＲ画像として視聴するには、受信したＳＤＲ画像をＫｎｅｅ伸長処理すればよい。
【００３３】
しかしながら、放送局（若しくは、画像の供給元）から、Ｋｎｅｅ圧縮の方法が不完全な形でしか伝えられない、あるいは全く伝えられない場合、受信側ではＫｎｅｅ伸長する正確な方法を把握することができない。正確でないＫｎｅｅ伸長を行なうと、ｈｕｅ（色合い）が変化するという弊害がある。
【００３４】
Ｋｎｅｅ圧縮によりＨＤＲからＳＤＲに変換された画像を、元のＨＤＲ画像にＫｎｅｅ伸長するには、Ｋｎｅｅ圧縮の方法、すなわち、Ｋｎｅｅポイントと最大輝度レベルの情報が必要である。
【００３５】
また、Ｋｎｅｅ圧縮の方法に関する情報を入手できたとしても、Ｙ−Ｃｏｎｔｒａｓｔブロック（すなわち、図２で、ビデオ・エンコーダー２０４によりＲＧＢ信号に変換される前）、又は、ＲＧＢブロック（すなわち、図２で、ビデオ・エンコーダー２０４によりＲＧＢ信号に変換された後）のいずれでＫｎｅｅ伸長を行なうべきか不明である。
【００３６】
オリジナル信号、すなわち放送波で受信したＳＤＲ画像のＲＧＢ信号が図３に示す例で考えてみる。図４には、このオリジナル信号を、ＲＧＢ空間で、Ｒ成分についてのみＫｎｅｅ伸長した結果を示している。この場合、高輝度領域で赤色のみが強調されるので、ｈｕｅ（色合い）がオリジナル信号から変化してしまう。すなわち、Ｋｎｅｅ伸長する前のＳＤＲ画像とは上方互換性のないＨＤＲ画像となってしまう。したがって、ｈｕｅの変化なしにＳＤＲ画像をＨＤＲ画像に変換するには、図５に示すように、ＲＧＢの成分毎にＫｎｅｅ伸長しなければならない。この場合、ＲＧＢの成分毎にＫｎｅｅ圧縮の情報が必要になる。
【００３７】
ＳＤＲ画像として放送されるテレビ番組を、ＨＤＲ対応ディスプレイで元のＨＤＲ画像として楽しむには、受信したＳＤＲ画像をＫｎｅｅ伸長処理すればよい。Ｋｎｅｅ圧縮の方法は、Ｋｎｅｅポイントすなわち信号レベルの抑制を開始する入力輝度位置及び出力輝度位置と、抑制される最大輝度レベルで定義することができる。しかしながら、放送局（若しくは、画像の供給元）から、Ｋｎｅｅ圧縮の方法が不完全な形でしか伝えられない、あるいは全く伝えられない場合、受信側ではＫｎｅｅ伸長する正確な方法が分からなくなってしまう。正確でないＫｎｅｅ伸長を行なうと、ｈｕｅ（色合い）が変化するという弊害がある。
【実施例１】
【００３８】
第１の実施例として、Ｋｎｅｅ伸長をＹ−Ｃｏｎｔｒａｓｔブロックで行なうことを提案する。図６には、輝度信号ＹをＫｎｅｅ伸長するＫｎｅｅ伸長曲線６００を例示している。図中、横軸は入力輝度信号Ｙin、縦軸は出力輝度信号Ｙoutとする。図示のＫｎｅｅ伸長曲線６００は、入力輝度位置Ｙkで輝度をΔＹkだけ減殺する出力輝度位置Ｙk−ΔＹkを持っている。ここで、ΔＹkは、ＫｎｅｅポイントなどＫｎｅｅ圧縮の方法に関する情報に加え、画像表示装置１００のハードウェアの性能なども考慮して決定すべきである。
【００３９】
また、図７には、Ｙ−Ｃｏｎｔｒａｓｔブロックで輝度信号ＹをＫｎｅｅ伸長処理する機能的構成を模式的に示している。Ｋｎｅｅ伸長処理部７００は、輝度信号Ｙを入力して、図６に示したＫｎｅｅ伸長を行なって、輝度信号Ｙ＋ΔＹを出力する。
【実施例２】
【００４０】
図８には、入力画像信号８０１とＹ−ＣｏｎｔｒａｓｔブロックでＫｎｅｅ伸長した出力画像信号８０２の色分布を、色差を横軸とし、輝度信号Ｙを縦軸とするグラフ上に示している。同図から、図６に示したようにＹ−ＣｏｎｔｒａｓｔブロックでＫｎｅｅ伸長しただけでは、出力画像信号が参照番号８０３で示す表示色域から外れた部分が発生するという問題があることが分かる。
【００４１】
そこで、第２の実施例として、Ｙ−Ｃｏｎｔｒａｓｔブロックで輝度信号ＹについてＫｎｅｅ伸長を行なった後、さらにクロマ信号Ｃを補正して、表示色域から外れないようにすることを提案する。クロマ信号Ｃの変更とは、具体的には、輝度信号Ｙとクロマ信号の比Ｙ／Ｃが一定となるようにする処理である。
【００４２】
図９には、入力画像信号９０１をＹ−ＣｏｎｔｒａｓｔブロックでＫｎｅｅ伸長した信号９０２に対して、さらにＹ／Ｃが一定となるようにクロマ信号Ｃを補正した結果９０３を示している。図示のように、出力画像を表示色域９０４内に収めることができる。
【００４３】
また、図１０には、Ｙ−Ｃｏｎｔｒａｓｔブロックで輝度信号ＹをＫｎｅｅ伸長するとともに、Ｙ／Ｃが一定となるようにクロマ信号を補正する機能的構成を模式的に示している。
【００４４】
Ｋｎｅｅ伸長処理部１００１は、輝度信号Ｙを入力して、図６に示したＫｎｅｅ伸長を行なって、輝度信号Ｙ＋ΔＹを出力する。
【００４５】
また、Ｙ／Ｃ一定処理部１００２は、輝度信号ＹをＹ＋ΔＹにＫｎｅｅ伸長した後に、入力輝度信号Ｙ並びにクロマ信号Ｃｂ、Ｃｒを入力するとともにＫｎｅｅ伸長処理部１００１からΔＹを入力して、輝度信号Ｙとクロマ信号Ｃの比が一定となるように入力クロマ信号Ｃｂ、Ｃｒを補正する。具体的には、下式（１）、（２）に従って、入力クロマ信号Ｃｂ、Ｃｒを出力クロマ信号Ｃｂ´、Ｃｒ´に補正する。
【００４６】
【数１】
2015170905.tif 000003
【００４７】
【数２】
2015170905.tif 000004
【実施例３】
【００４８】
ディジタルスチルカメラなどで撮影されたＨＤＲ画像の色分布１１０１は、表示色域から大きくはみ出している。このため、ＨＤＲ画像を圧縮するが、圧縮後の色分布もなお表示色域から外れていることがある。
【００４９】
そこで、図１１に示すように、表示色域１２０１から外れた色分布１２０２を、色合いを重視して輝度方向に圧縮するＹ圧縮１２０３、輝度を重視して彩度方向に圧縮するＣ圧縮１２０４、輝度と彩度をブレンドして圧縮するＹＣ圧縮１２０５などを行なうのが一般的である。ＹＣ圧縮によれば、階調のベタりや、色抜けを防ぐことができる。
【００５０】
一方、第２の実施例のように、輝度信号を伸長する前後で輝度信号とクロマ信号の比が一定となるようにクロマ信号を補正すると、図１２に示すように、表示色域１３０１内でＨＤＲ画像の表示に使用されない、無駄な領域１３０２が生じてしまう。
【００５１】
そこで、第３の実施例として、輝度信号Ｙとクロマ信号の比Ｙ／Ｃが一定となるようにクロマ信号を補正した後、ＨＤＲ画像の表示に適するように、さらにクロマ信号を伸長処理することを提案する。
【００５２】
図１３には、入力画像信号１４０１をＹ−ＣｏｎｔｒａｓｔブロックでＫｎｅｅ伸長するとともにＹ／Ｃが一定となるようにクロマ信号Ｃを補正した結果１４０２に対して、さらに、表示色域１４０３からはみ出さない範囲でクロマ信号を伸長処理した結果１４０４を示している。
【００５３】
図１４には、Ｙ−Ｃｏｎｔｒａｓｔブロックで輝度信号ＹをＫｎｅｅ伸長し、Ｙ／Ｃが一定となるようにクロマ信号を補正した後、さらにクロマ信号を伸長する機能的構成を模式的に示している。
【００５４】
Ｋｎｅｅ伸長処理部１５０１は、輝度信号Ｙを入力して、図６に示したＫｎｅｅ伸長を行なって、輝度信号Ｙ＋ΔＹを出力する。
【００５５】
Ｙ／Ｃ一定処理部１５０２は、輝度信号ＹをＹ＋ΔＹにＫｎｅｅ伸長した後に、入力輝度信号Ｙ並びにクロマ信号Ｃｂ、Ｃｒを入力するとともにＫｎｅｅ伸長処理部１００１からΔＹを入力して、輝度信号Ｙとクロマ信号Ｃの比が一定となるように、上式（１）、（２）に従って入力クロマ信号Ｃｂ、Ｃｒを補正して、Ｃｂ´、Ｃｒ´を出力する。
【００５６】
クロマ信号伸長部１５０３は、補正後のクロマ信号Ｃｂ´、Ｃｒ´を伸長処理する。クロマ信号伸長部１５０３は、表示色域からはみ出さない範囲でクロマ信号Ｃｂ´、Ｃｒ´を伸長処理する。具体的には、クロマ信号Ｃｂ´、Ｃｒ´にそれぞれ（１＋α）を乗算する。ここで、αは以下の条件（３）を満たすものとする。但し、Ｙkは折り曲がりポイントである。
【００５７】
【数３】
2015170905.tif 000005
【００５８】
入力輝度信号Ｙ並びに入力クロマ信号Ｃｂ、Ｃｒと、出力クロマ信号Ｃｂ″、Ｃｒ″との関係は、それぞれ下式（４）、（５）に示す通りとなる。
【００５９】
【数４】
2015170905.tif 000006
【００６０】
【数５】
2015170905.tif 000007
【産業上の利用可能性】
【００６１】
以上、特定の実施形態を参照しながら、本明細書で開示する技術について詳細に説明してきた。しかしながら、本明細書で開示する技術の要旨を逸脱しない範囲で当業者が該実施形態の修正や代用を成し得ることは自明である。
【００６２】
本明細書で開示する技術は、テレビ受信機やパーソナル・コンピューター、ゲーム機、プロジェクター、プリンターなどＨＤＲ画像を表示又は出力するさまざまな装置に適用することができる。
【００６３】
また、本明細書で開示する技術は、静止画並びに動画のいずれについても、ＳＤＲ画像をＨＤＲ画像に変換する際に適用することができる。
【００６４】
要するに、例示という形態により本明細書で開示する技術について説明してきたのであり、本明細書の記載内容を限定的に解釈するべきではない。本明細書で開示する技術の要旨を判断するためには、特許請求の範囲を参酌すべきである。
【００６５】
なお、本明細書の開示の技術は、以下のような構成をとることも可能である。
（１）輝度信号を伸長する輝度信号伸長部と、
輝度信号の伸長に合わせてクロマ信号を補正するクロマ信号補正部と、
を具備する画像処理装置。
（２）前記クロマ信号補正部は、前記輝度信号伸長部で輝度信号を伸長する前後で輝度信号とクロマ信号の比が一定となるようにクロマ信号を補正する、
上記（１）に記載の画像処理装置。
（３）前記クロマ信号補正部が補正した後のクロマ信号を伸長するクロマ信号伸長部をさらに備える、
上記（２）に記載の画像処理装置。
（４）前記クロマ信号伸長部は、表示色域からはみ出さない範囲でクロマ信号を伸長する、
上記（３）に記載の画像処理装置。
（５）輝度信号を伸長する輝度信号伸長ステップと、
輝度信号の伸長に合わせてクロマ信号を補正するクロマ信号補正ステップと、
を有する画像処理方法。
（６）輝度信号を伸長する輝度信号伸長部と、
輝度信号の伸長に合わせてクロマ信号を補正するクロマ信号補正部と、
輝度信号及びクロマ信号をＲＧＢ信号に変換して表示する表示部と、
を具備する画像表示装置。
【符号の説明】
【００６６】
１００…画像表示装置、１０１…アンテナ、１０２…チューナー
１０３…ディジタル復調部、１０４…ディジタル・デコーダー
１０５…表示部
２０１…入力端子、２０２…ビデオ・デコーダー、２０３…制御信号生成部
２０４…ビデオ・エンコーダー、２０５…データ・ドライバー
２０６…ゲート・ドライバー、２０７…液晶表示パネル
２０８…バックライト、２０９…バックライト駆動制御部、２１０…電源
【図１】
2015170905.tif 000008
【図２】
2015170905.tif 000009
【図６】
2015170905.tif 000010
【図７】
2015170905.tif 000011
【図１０】
2015170905.tif 000012
【図１４】
2015170905.tif 000013
【図３】
2015170905.tif 000014
【図４】
2015170905.tif 000015
【図５】
2015170905.tif 000016
【図８】
2015170905.tif 000017
【図９】
2015170905.tif 000018
【図１１】
2015170905.tif 000019
【図１２】
2015170905.tif 000020
【図１３】
2015170905.tif 000021